(57)【特許請求の範囲】
【請求項１】
便鉢を有する便器本体と、該便器本体の後部上面に取り付けられ、機能装置及び該機能装置が固定されたベースプレートを有する便器装置と、該ベースプレートに設けられた開口部を挿通し、該便器本体の後部上面より上方に配置され、該便鉢に洗浄水を供給する給水装置とを備えた洋風水洗式便器において、
前記ベースプレートには、前記開口部の縁部に沿って立上がる第１リブが設けられており、
前記便器装置は、前記ベースプレートに固定され、前記開口部の上方の少なくとも一部を覆う補強部材を有していることを特徴とする洋風水洗式便器。
【請求項２】
前記便器装置は、前記機能装置として、温水タンク及び局部洗浄ノズルを具備した局部洗浄装置を有し、
前記ベースプレートには、前記開口部に隣接して該温水タンクの載置部と、前記第１リブに連続して該載置部の周縁に沿って立上がる第２リブとが設けられている請求項１記載の洋風水洗式便器。
【請求項３】
前記便器装置は、前記機能装置として、温水タンク及び局部洗浄ノズルを具備した局部洗浄装置を有し、
前記補強部材は、前記温水タンクの上方の少なくとも一部も覆う請求項１記載の洋風水洗式便器。
【請求項４】
前記補強部材は上面に前記機能装置の制御基板が取り付けられている請求項１乃至３のいずれか１項記載の洋風水洗式便器。
【発明の詳細な説明】
【技術分野】
【０００１】
本発明は洋風水洗式便器に関する。
【背景技術】
【０００２】
特許文献１に従来の洋風水洗式便器が開示されている。この洋風水洗式便器は、便鉢を有する便器本体を備えている。便器本体の後部上面より上方には、便鉢に洗浄水を供給する給水装置が配置されている。また、便器本体の後部上面には、機能装置である局部洗浄装置と、局部洗浄装置が固定されたベースプレートとを有する便器装置が取り付けられている。このベースプレートには、給水装置との干渉を避ける切欠き部が設けられている。このため、便器装置と給水装置とを便器本体の後部上面の限られたスペースに配置することができる。
【０００３】
【特許文献１】特開２００１−１９３１３２号公報
【発明の開示】
【発明が解決しようとする課題】
【０００４】
しかし、上記従来の洋風水洗式便器では、ベースプレートに切欠き部が設けられているため、この部分の強度が低下し、ベースプレートが撓みやすくなる。便器本体の後部上面の形状は、製造上、中央部が左右両端より、やや低く形成されることがある。このため、便器装置を便器本体の後部上面に取り付けた際、ベースプレートと便器本体の中央部付近との間に隙間が生じることがある。この場合、過度な力がベースプレートに働くと、隙間があるためにベースプレートが撓み、便器装置の取付位置がずれてしまうおそれがある。
【０００５】
本発明は、上記従来の実情に鑑みてなされたものであって、便器本体に便器装置を良好に取り付けることができる洋風水洗式便器を提供することを解決すべき課題としている。
【課題を解決するための手段】
【０００６】
本発明の洋風水洗式便器は、便鉢を有する便器本体と、該便器本体の後部上面に取り付けられ、機能装置及び該機能装置が固定されたベースプレートを有する便器装置と、該ベースプレートに設けられた開口部を挿通し、該便器本体の後部上面より上方に配置され、該便鉢に洗浄水を供給する給水装置とを備えた洋風水洗式便器において、
前記ベースプレートには、前記開口部の縁部に沿って立上がる第１リブが設けられており、
前記便器装置は、前記ベースプレートに固定され、前記開口部の上方の少なくとも一部を覆う補強部材を有していることを特徴とする。
【０００７】
この洋風水洗式便器では、第１リブにより開口部周辺のベースプレートの強度を補強することができる。このため、ベースプレートが撓みにくくなり、便器装置を便器本体の後部上面に取り付けた後、便器装置の取付位置がずれることを防止することができる。
【０００８】
したがって、本発明の洋風水洗式便器は、便器本体に便器装置を良好に取り付けることができる。
【０００９】
便器装置は、機能装置として、温水タンク及び局部洗浄ノズルを具備した局部洗浄装置を有し、ベースプレートには、開口部に隣接して設けられた温水タンクの載置部と、第１リブに連続して載置部の周縁に沿って立上がる第２リブとが設けられ得る。この場合、ベースプレートの強度を広い範囲で向上させることができる。このため、ベースプレートが撓むことがさらに防止され、便器装置を便器本体の後部上面に取り付けた後、便器装置の取付位置がずれることをさらに防止することができる。
【００１０】
便器装置は、ベースプレートに固定され、開口部の上方の少なくとも一部を覆う補強部材を有している。この場合、開口部周辺のベースプレートの強度をさらに向上させることができる。このため、ベースプレートが撓むことがさらに防止され、便器装置を便器本体の後部上面に取り付けた後、便器装置の取付位置がずれることをさらに防止することができる。
【００１１】
便器装置は、機能装置として、温水タンク及び局部洗浄ノズルを具備した局部洗浄装置を有し、補強部材は、温水タンクの上方の少なくとも一部も覆い得る。この場合、ベースプレートの強度を広い範囲でさらに向上させることができる。このため、ベースプレートが撓むことがさらに防止され、便器装置を便器本体の後部上面に取り付けた後、便器装置の取り付け位置がずれることをさらに防止することができる。また、温水タンクの上方の一部を補強部材で覆うことにより温水タンクの保温性を高めることができる。
【００１２】
補強部材は、上面に機能装置の制御基板が取り付けられ得る。この場合、温水タンク等の上方のスペースを有効に利用することができる。
【発明を実施するための最良の形態】
【００１３】
以下、本発明の洋風水洗式便器を具体化した実施例１を図面を参照しつつ説明する。
【実施例１】
【００１４】
図１に示すように、実施例１の洋風水洗式便器は、便鉢２を有する便器本体１を備えている。便器本体１の後部上面には、便器装置３が取り付けられる。便器装置３は、機能装置である局部洗浄装置の温水タンク２０が固定される後ベースプレート１０と、おしり洗浄用ノズルとビデ洗浄用ノズルとを有する局部洗浄ノズル２５が固定される前ベースプレート１１とを有している。図示しないが、後ベースプレート１０及び前ベースプレート１１には、機能装置として、温風乾燥装置、空気清浄装置、音楽再生装置、部屋暖房装置及び照明装置が固定される。後ベースプレート１０と前ベースプレート１１とは、後ベースプレート１０の前部上方に前ベースプレート１１の後部が重なるように図示しない昇降装置を介して組み付けられる。
【００１５】
図２に示すように、後ベースプレート１０が、図示しない取付金具により便器本体１の後部上面に取り付けられ、便器装置３は便器本体１の後部上面に取り付けられる。後ベースプレート１０及び前ベースプレート１１に固定された局部洗浄装置等の各機能装置は、前ベースプレート１１に取り付けられて下方に開口する収納ケース６０内に収納される。
【００１６】
収納ケース６０の上面は、前方に向けて下方に傾斜している。収納ケース６０の上面の後部には、図示しないが、後述する給水装置５を臨む開口が設けられ、この開口から給水装置５のメンテナンス等が可能である。収納ケース６０には、上面の後部にカバー６１が着脱自在に取り付けられ、上面の前部に便蓋６２及び図示しない便座が回動可能に軸支されている。収納ケース６０、カバー６１、便蓋６２及び便座は、前ベースプレート１１とともに後ベースプレート１０に対して昇降可能にされている。
【００１７】
図１に示すように、給水装置５は、便器本体１の後部上面に固定されたフレーム５２により便器本体１の後部上面より上方に取り付けられている。給水装置５のバルブ本体５０には、ストレーナ機構、定流量弁機構、開閉弁機構及びバキュームブレーカ機構が内蔵されている。バルブ本体５０は、ストレーナ機構の下流側、かつ定流量弁機構の上流側に温水タンク２０に洗浄水を供給する分岐管５１が分岐されている。バルブ本体５０の上流側の流入口にはフレキシブルホース５３が接続されている。図３に示すように、フレキシブルホース５３の上流端は、便器本体１の後方壁６に設けられた挿通孔７を挿通し、水道管に接続された止水栓５に接続されている。また、バルブ本体５０の下流側の流出口は、図示しないフレキシブルホースを介して便鉢２に連通している。
【００１８】
図１に示すように、後ベースプレート１０には、後端の一部分から切欠かれた開口部１２が設けられている。この開口部１２は、便器本体１の後部上面に便器装置３が取り付けられる際、給水装置５のバルブ本体５０等が下方から挿通される。後ベースプレート１０には、開口部１２の左右及び前側の縁部に沿って立上がる第１リブ１３が設けられている。このため、後ベースプレート１０の開口部１２の周辺の強度は補強されている。よって、後ベースプレート１０が撓みにくくなり、便器装置３を便器本体１の後部上面に取り付けた後、便器装置３の取付位置がずれることを防止することができる。
【００１９】
したがって、実施例１の洋風水洗式便器は、便器本体１に便器装置３を良好に取り付けることができる。
【００２０】
後ベースプレート１０には、開口部１２に隣接して温水タンク２０の載置部１４と、第１リブ１３に連続して載置部１４の周縁に沿って立上がる第２リブ１５とが設けられている。開口部１２と載置部１４とが隣接する部分に立上がる第１リブ１３は、載置部１４の周縁の一部に沿っており、第２リブ１５として兼用されている。このため、後ベースプレート１０の強度が広い範囲で向上している。よって、後ベースプレート１０がさらに撓みにくくなり、便器装置３を便器本体１の後部上面に取り付けた後、便器装置３の取付位置がずれることを防止することができる。
【００２１】
温水タンク２０の下部は、第１リブ１３の一部と第２リブ１５とにより囲まれている。このため、温水タンク２０から何らかの原因で洗浄水が漏水した場合に第１リブ１３と第２リブ１５とにより囲まれた領域内に洗浄水は滞留する。このため、漏水した洗浄水が任意の個所へ流出してしまうことを防止している。便器装置３が便器本体１の後部上面に取り付けられた状態で温水タンク２０より便鉢２側に位置する第２リブ１５には、上端から第２リブ１５の中間高さまで下方に延びる切欠き部１６が設けられている。また、この切欠き部１６から溢れ出た洗浄水が便鉢２方向に流れるように、後ベースプレートの上面に一対の凸条部１７が設けられている。このため、温水タンク２０から漏水した洗浄水は便鉢２内に良好に流れ落ちるようにされている。
【００２２】
便器装置３は、後ベースプレート１０に固定される補強部材３０を有している。図２及び図３に示すように、補強部材３０は、後ベースプレート１０に設けられた開口部１２の上方の一部を覆っている。補強部材３０により覆われていない開口部１２の上方は、給水装置５のバルブ本体５０が上方からメンテナンス等が行えるように露出している。また、図１に示すように、補強部材３０は、温水タンク２０の上方に開口３１が設けられる一方で、温水タンク２０の上方の一部も覆っている。このため、補強部材３０により後ベースプレート１０が撓むことがさらに防止され、便器装置３を便器本体１の後部上面に取り付けた後、便器装置３の取付位置がずれることをさらに防止することができる。また、補強部材３０が温水タンク２０の上方の一部を覆っているため、温水タンク２０の保温性を高めることができる。
【００２３】
温水タンク２０は、洗浄水の流入部に開閉弁２１が設けられ、開閉弁２１の上流側に先端に接続具２３が設けられた給水ホース２２が接続されている。給水ホース２２の先端に設けられた接続具２３は、給水装置５のバルブ本体５０に設けられた分岐管５１に接続される。また、温水タンク２０の上部には、温水タンク２０内に貯留され、加熱された洗浄水が流出する流出パイプ２４と、大気開放弁の捨て水が流出する排水パイプ２６とが設けられている。流出パイプ２４には図示しない可撓性を有するチューブが接続される。このチューブは、補強部材３０に設けられた開口３１を挿通し、前ベースプレート１１に固定されたおしり洗浄用ノズルとビデ洗浄用ノズルとを有する局部洗浄ノズル２５の流入口に接続される。排水パイプ２６にも図示しない可撓性を有するチューブが接続される。このチューブは、補強部材３０に設けられた開口３１を挿通し、前ベースプレート１１上に接続される。このため、大気開放弁から排出された捨て水は、前ベースプレート１１を介して便鉢２内に排水される。
【００２４】
図２及び図３に示すように、補強部材３０の上面には、機能装置である便器洗浄装置等の制御基板４０が取り付けられている。このため、温水タンク２０の上方のスペースを有効に利用することができる。
【００２５】
以上において、本発明を実施例１に即して説明したが、本発明は上記実施例１に制限されるものではなく、その趣旨に逸脱しない範囲で適宜変更して適用できることはいうまでもない。
【００２６】
例えば、後ベースプレート１０と前ベースプレート１１とが一体に形成されていてもよい。また、開口部１２の全周縁に第１リブ１３を設けてもよい。さらに、補強部材３０は、開口部１２の上方全体を覆ったり、温水タンク２０の上方全体を覆ったりしてもよい。
【図面の簡単な説明】
【００２７】
【図１】実施例１の洋風水洗式便器の分解斜視図である。
【図２】実施例１の便器装置の取付状態を示す斜め前方斜視図である。
【図３】実施例１の便器装置の取付状態を示す斜め後方斜視図である。
【符号の説明】
【００２８】
１…便器本体
２…便鉢
３…便器装置
５…給水装置
１０、１１…ベースプレート（１０…後ベースプレート、１１…前ベースプレート）
１３…第１リブ
１４…載置部
１５…第２リブ
２０、２５…機能装置（２０…温水タンク、２５…局部洗浄ノズル）
３０…補強部材
４０…制御基板
【図１】
0005132371.tif 000002
【図２】
0005132371.tif 000003
【図３】
0005132371.tif 000004